(57)【要約】      （修正有）【課題】空き缶を、腰を曲げずに、又手を汚さずに１度に１０個程度回収、収納が出来るごみバサミを提供する。【解決手段】火バサミ形状のごみバサミを長めに製作し、ごみバサミ内側に弾力、伸縮クッション性の有る、部材を設けた空き缶収納機能付きごみバサミ。【選択図】図４
2005261903.tif 000002
【特許請求の範囲】
【請求項１】
ごみバサミ内側に弾力、伸縮クッション性に富んだ帯状の部材を設け、空き缶を挟み込んだ際、缶が挟み込んだ位置に弾力、伸縮クッション性により固定出来る帯状の部材を設けた、空き缶収納機能付きごみバサミ。
【発明の詳細な説明】
【技術分野】
【０００１】  本発明は、廃品回収、投棄去れているごみ、空き缶を拾う作業の際、用いるごみバサミに関する。
【背景技術】
【０００２】  海岸、公園、河川、道路清掃作業に火バサミをごみバサミとして活用している。【０００３】  ごみバサミを使用し、投棄去れている紙屑、ビン、プラスッチク、ビニール、ペットボトル、空き缶等のごみの収集を、ごみバサミを使用しビニール袋に入れ回収していた。【０００４】  特に近年、道路脇に投棄去れた、空き缶が目に付く様に多くなっている。【０００５】  空き缶をごみバサミで挟み袋に回収する際、空き缶、ごみバサミが同じ金属、で缶が硬い等の為に、缶がごみバサミで挟むさい滑る等、掴み難い点がある。【０００６】  空き缶を、ごみバサミで掴む為には、ちょっとしたこつの様なものがありこつを覚えるか、強引に力を込めて缶を潰す様にし掴んでいた。【０００７】  又、ごみバサミを使うのが面倒な人は、空き缶を回収する際は、軍手を使用し手で回収していた。【０００８】  空き缶の中には、水が溜まり汚れた水で軍手が汚れる事がある。【０００９】  清掃ごみの回収の場合、ごみの分別等の為、ごみを缶、ビン、燃える一般ごみと区別し回収、清掃していた。【００１０】  一般ごみ用ビニール袋に紙屑、プラスッチク、ペットボトル等を入れビン空き缶を燃えないごみ用ビニール袋に回収し清掃していた。【００１１】  上記記述した様に、二つの袋を持って清掃出来ず、ビニール袋を移動し置きながら、空き缶を回収し清掃していた。【００１２】  道路の清掃では、空き缶が多く、路肩より、法面下方に空き缶が多く見られる。【００１３】  道路法面の空き缶を回収の場合、缶の入っているビニール袋を持って法面を降りる事が出来ず、法面を下りて空き缶を手に持って回収していた。【００１４】  法面、藪等に捨てられた、空き缶を回収するには、従来のごみバサミでは、一個一個回収する為手間を必要とした。【００１５】  利き手のごみバサミに空き缶一個、空いている手に空き缶二個持つのが限度である。【００１６】  特許文献
【発明の開示】
【発明が解決しようとする課題】
【００１４】  解決しようとする問題点は、利き手にごみバサミ、空いている片方の手で持てる空き缶の数が少ない点で有る。
【課題を解決しようとする課題】
【００１５】  本発明は、ごみバサミ内に空き缶を収納する事を最も主要な特徴とする。
【発明の効果】
【００１６】  本発明の、空き缶収納機能付きごみバサミを、既存のごみバサミの大きさで使用すると、空き缶を収納出来る数は、同一の大きさの、コーヒーの空き缶では、６個の空き缶を収納が出来る。
【００１７】  又、上記記述した、既存のごみバサミを２０センチ程長くごみバサミを製作し、空き缶収納機能を付けて使用すると、空き缶を１０個程収納出来、ごみバサミが長くなった分、腰を曲げずに清掃作業が出来る利点も有る。
【発明を実施するための最良の形態】
【００１８】  ビン、缶等の硬い物をごみバサミで掴み持つ時は、ごみバサミから滑る為、ごみバサミに力を加え握り、掴んでいた。【００１９】  空き缶、空きビン等を簡単に掴むことができ、空き缶を数多く収納出来る事を、最小の部品で叶える事が実現した。【００２０】  上記記述した機能を持つながら、一般ごみのごみ取りバサミとして使用しても何ら変わらず、クッション性が有り滑り難い為、小さな力で物を挟む事ができる利点もある。
【実施例１】
【００２１】  図１は、本発明の、空き缶収納機能付きゴミバサミの平面図、及び側面図で、帯状の弾力、伸縮クッション性の有する部材１である。【００２２】  図２は、空き缶１個を挟み込んだ側面図【００２３】  図３は、空き缶２個目を収納しようとした正面図及び側面図である、帯状の弾力、伸縮クッション性の有する部材を設けている為に、ごみバサミの握り手の力を緩める事なく、２個目の空き缶に１個目の空き缶を押しつけると２個目が簡単に、ごみバサミ内に収納できる。【００２４】  図４は、空き缶３個目を収納しようとした側面図である帯状の弾力、伸縮クッション性の有する部材を設けている為に、ごみバサミの握り手の力を緩める事なく、３個目の空き缶に２個目の空き缶を押しつけると３個目が簡単に、ごみバサミ内に収納できる。【００２５】  上記記述したような動作を繰り返す事により空き缶を数多く収納できる。【００２６】  本発明の、空き缶収納付きゴミバサミは、既存のごみバサミの形状を成しながら、２０センチから３０センチ程長くした握り手下部４を内側に若干曲げ、空き缶１０個を均一に挟み込める角度とした図６である。【００２７】  空き缶収納付きゴミバサミは、既存のごみバサミの形状を成し、帯状の弾力、伸縮クッション性の有する部材１を、ごみバサミ下端から内側約２５センチから３０センチの長さとし、幅は、２．５センチから３．５センチとするのが適している、帯状の弾力、伸縮クッション性の有する部材１を、ごみバサミ内側に接着する。【００２８】  上記記述した、帯状の弾力、伸縮クッション性の有する部材１の厚さは、１０ｍｍから１５ｍｍ程度が良く、ゴム製の部材が適している。【００２９】  上記記述した、帯状の弾力、伸縮クッション性の有する部材１の厚さは、１０ｍｍから１５ｍｍ程度が良く、スポンジ等でも効果が得られれば良い。【００３０】  以上記述したように、弾力、伸縮クッション性を有する物であれば、どの様な材質でも良く、空き缶を挟み込んだ時、２個目、３個目を収納する動作の際、ごみバサミの握る力が、緩んだりした時に、弾力、伸縮クッション性の部材が空き缶を押さえる効果を発揮し、ごみバサミより空き缶が落下する事を防ぐ効果をする。【００３１】  帯状の弾力、伸縮クッション性の有する部材を設ける事で、既存のごみバサミの大きさであれば、同一形状の空き缶であれば５個から６個の缶を収納が可能である。【００３２】  既存のごみバサミを２０センチ程長くごみバサミを製作し空き缶収納機能を付けて使用すると、空き缶を１０個程収納出来、ごみバサミが長くなった分、腰を曲げずに作業が出来る利点も有る。
【産業上の利用可能性】
【００３３】  帯状の弾力、伸縮クッション性の有する部材１の両端にガイドを設ける事で、ゴルフボールの回収収納、テニスボウルの回収収納、みかんのもぎ取り、落下した果実の収集、他の応用にこの技術が活用出来る。
【図面の簡単な説明】
【００３４】
【図１】空き缶収納機能付きごみバサミ正面図及び側面図
【図２】空き缶を挟み込んだ正面図及び側面図
【図３】空き缶２個目を収納しようとする正面図及び側面図
【図４】空き缶３個目を収納しようとする正面図及び側面図
【図５】空き缶４個目を収納しようとする正面図及び側面図
【図６】ごみバサミを握り手下部から内側に曲げた正面図及び側面図
【図７】本発明の部材１の両端にガイドを設けた正面図及び側面図  図２空き缶を挟み込んだ正面図及び側面図
【符号の説明】
【００３５】１  弾力、伸縮クッション性の有する部材  ２  ごみバサミ  ３  握り手の位置  ４  ガイド  ５  空き缶  ６  補強リブ
【図１】
2005261903.tif 000003
【図２】
2005261903.tif 000004
【図３】
2005261903.tif 000005
【図４】
2005261903.tif 000006
【図５】
2005261903.tif 000007
【図６】
2005261903.tif 000008
【図７】
2005261903.tif 000009